(57)【要約】【課題】反射面に保護層を積層形成すると、第２電極と反射層との間隔は、少なくとも保護層の層厚分長くなってしまう。この結果、反射層と第２電極との間の距離を、反射層と第２電極との間で共振させたい光の波長に対する最適な距離（光路長）に合わせることができず、従って光の取り出し効率を高めることができないという課題がある。【解決手段】Ｒ画素の陽極１３０は、保護層１２０上に絶縁性保護層１５０を挟んで形成された２層の導電膜で構成され、Ｇ画素の陽極１３０は、保護層１２０上に絶縁性保護層１５０を挟んで形成された１層の導電膜で構成されている。また、Ｂ画素の陽極１３０は、絶縁性保護層１５０が一部除去されて開口した保護層１２０が陽極１３０を兼ねるように構成されている。【選択図】図３
2010272447.tif 000002
【特許請求の範囲】
【請求項１】
基板上に順に形成された、光を反射する反射層と、第１電極と、発光層を含む１層以上の有機層と、第２電極とを含む画素を複数備えた有機ＥＬ装置であって、
前記反射層に対して前記基板と反対側に、前記反射層の反射面を保護する保護層が積層形成され、
前記保護層は、前記反射層と前記第２電極との間の反射によって共振する光の波長が最も短い前記画素に設けられた前記第１電極を兼ねることを特徴とする有機ＥＬ装置。
【請求項２】
請求項１に記載の有機ＥＬ装置であって、
前記保護層は、結晶質のインジウムスズ酸化物層であり、
前記共振する光の波長が最も短い画素と異なる前記画素に設けられた前記第１電極は、非晶質のインジウムスズ酸化物層である
ことを特徴とする有機ＥＬ装置。
【請求項３】
請求項１または２に記載の有機ＥＬ装置であって、
前記共振する光の波長が最も短い画素と異なる前記画素は、前記反射層と前記第１電極との間に、絶縁性保護層が介在形成されていることを特徴とする有機ＥＬ装置。
【請求項４】
請求項３に記載の有機ＥＬ装置であって、
前記共振する光の波長が最も短い画素は、前記絶縁性保護層が前記反射層の側面を覆っていることを特徴とする有機ＥＬ装置。
【請求項５】
請求項１ないし４のいずれか一項に記載の有機ＥＬ装置であって、
前記反射層は、銀または銀の合金からなることを特徴とする有機ＥＬ装置。
【請求項６】
請求項１ないし５のいずれか一項に記載の有機ＥＬ装置であって、
前記複数の画素において前記共振する光の波長は、赤色、緑色、青色を呈する光の波長のいずれかであることを特徴とする有機ＥＬ装置。
【請求項７】
基板上に順に形成された、光を反射する反射層と、当該反射層に積層形成された保護層と、第１電極と、発光層を含む１層以上の有機層と、第２電極とを含む画素を複数備えた有機ＥＬ装置の製造方法であって、
前記基板上に、光を反射する反射膜を形成する工程と、
前記反射膜上に結晶質のインジウムスズ酸化物からなる第１導電膜を形成する工程と、
前記第１導電膜および前記反射膜をドライエッチング処理によって除去して前記画素の領域毎に前記保護層および前記反射層を形成する工程と、
前記反射層上に絶縁性保護膜を形成する工程と、
前記絶縁性保護膜のうち、前記反射層と前記第２電極との間の反射によって共振する光の波長が最も短い画素に相当する領域に形成された前記絶縁性保護膜を除去することによって、露出した前記第１導電膜を、共振する光の波長が最も短い画素の前記第１電極として形成する工程と、
少なくとも前記絶縁性保護膜上および前記露出した第１導電膜上に、非晶質のインジウムスズ酸化物からなる第２導電膜を形成する工程と、
形成された前記第２導電膜をエッチング処理し、前記共振する光の波長が最も短い画素と異なる画素の前記第１電極を形成する工程と
を備えたことを特徴とする有機ＥＬ装置の製造方法。
【請求項８】
請求項７に記載の有機ＥＬ装置の製造方法であって、
前記第１電極として形成される前記第２導電膜の膜数が、共振する光の波長が長い画素の前記第１電極ほど多いことを特徴とする有機ＥＬ装置の製造方法。
【請求項９】
請求項７または８に記載の有機ＥＬ装置の製造方法であって、
前記反射層は、銀または銀の合金からなることを特徴とする有機ＥＬ装置の製造方法。
【請求項１０】
請求項７ないし９のいずれか一項に記載の有機ＥＬ装置の製造方法であって、
前記複数の画素において共振する光の波長は、赤色、緑色、青色を呈する光の波長のいずれかであることを特徴とする有機ＥＬ装置の製造方法。
【請求項１１】
請求項１ないし６のいずれか一項に記載の有機ＥＬ装置を備えた電子機器。
【請求項１２】
請求項７ないし１０のいずれか一項に記載の有機ＥＬ装置の製造方法によって製造された有機ＥＬ装置を備えた電子機器。
【発明の詳細な説明】
【技術分野】
【０００１】
本発明は、有機ＥＬ装置、有機ＥＬ装置の製造方法、および電子機器に関し、特に、有機ＥＬ装置における発光光の共振技術に関する。
【背景技術】
【０００２】
近年、基板上に有機ＥＬ（エレクトロルミネッセンス）素子を発光素子として形成し、発光素子の発光光を基板と反対側に取り出すトップエミッション方式の有機ＥＬ装置が、電子機器の表示装置などとして多用されている。トップエミッション方式は、発光素子を挟み基板側に形成された一方の第１電極（例えば陽極）と基板との間に反射層を形成し、発光素子を挟む他方の第２電極（例えば陰極）側から光を取り出す方式であって、光の利用効率が高い方式である。
【０００３】
さらに、トップエミッション方式において、発光素子を挟む基板と反対側の第２電極からの光の取り出し効率を高めて高輝度な表示を得るために、反射層を形成する材料として、通常使用されるアルミニウムに替えて、光の反射率が高い銀（Ａｇ）または銀の合金を用いた有機ＥＬ装置が提案されている（例えば特許文献１）。また、トップエミッション方式において、発光素子を挟む電極のうち基板と反対側の第２電極と、反射層との間で、所定の波長の光を共振させて、光の取り出し効率を高める技術が開示されている（例えば特許文献２）。
【先行技術文献】
【特許文献】
【０００４】
【特許文献１】特開２００４−３５５９１８号公報
【特許文献２】特開２００４−１９２８９０号公報
【発明の概要】
【発明が解決しようとする課題】
【０００５】
ところで、反射層に銀または銀の合金を用いた場合は、反射層の表面（反射面）が常に保護層によって保護されている状態であることが必要である。なぜなら、銀または銀の合金は、酸化、硫化、凝集、拡散という現象が生じ易く、有機ＥＬ装置のその後の製造工程における熱処理やエッチング処理、あるいはスパッタ処理やＣＶＤ処理などによって、反射面にマイグレーションを伴う荒れを生じ、反射率が低下してしまうからである。
【０００６】
このため、反射層に対して、基板と反対側の面つまり反射面を保護する保護層を積層形成することが必要である。しかしながら、反射面に保護層を積層形成すると、発光素子を挟む電極のうち基板と反対側の第２電極と反射層との間の距離は、少なくとも保護層の層厚分長くなってしまう。この結果、反射層と第２電極との間の距離は、反射層と第２電極との間で共振させたい光の波長に対する距離（光路長）よりも長くなってしまい、最適な距離に合わせることができず、従って光の取り出し効率を高めることができないという課題がある。
【課題を解決するための手段】
【０００７】
本発明は、上述の課題の少なくとも一部を解決するためになされたものであり、以下の形態または適用例として実現することが可能である。
【０００８】
［適用例１］基板上に順に形成された、光を反射する反射層と、第１電極と、発光層を含む１層以上の有機層と、第２電極とを含む画素を複数備えた有機ＥＬ装置であって、前記反射層に対して前記基板と反対側に、前記反射層の反射面を保護する保護層が積層形成され、前記保護層は、前記反射層と前記第２電極との間の反射によって共振する光の波長が最も短い前記画素に設けられた前記第１電極を兼ねることを特徴とする。
【０００９】
この構成によれば、画素は第１電極と第２電極との間に流れる電流によって発光層が発光し、発光した光が反射層と第２電極との間で反射して第２電極から基板と反対側に射出する。このとき、反射層と第２電極との間の反射によって共振する光の波長が最も短い画素について、保護層が第１電極を兼ねるため別途保護層を設ける必要がなく、第２電極と反射層との間の距離が長くなることを抑制することができる。従って、共振する光の波長が最も短い画素において、第２電極と反射層との間で生ずる共振を低次の共振（１次共振や２次共振）とする可能性を高くすることができる。この結果、光の取り出し効率を高くすることができるので、高品質の有機ＥＬ装置を提供することができる。また、第２電極と反射層との間の機能層を形成する材料や材料厚さの選択の幅を広げることが可能であり、高品質の有機ＥＬ装置を構成することができる。
【００１０】
［適用例２］上記有機ＥＬ装置であって、前記保護層は、結晶質のインジウムスズ酸化物層であり、前記共振する光の波長が最も短い画素と異なる前記画素に設けられた前記第１電極は、非晶質のインジウムスズ酸化物層であることを特徴とする。
【００１１】
結晶質のインジウムスズ酸化物層は、非晶質のインジウムスズ酸化物のエッチング液に対して耐性を持つ。従って、この構成によれば、共振する光の波長が最も短い画素と異なる画素の第１電極をエッチング処理によって形成する場合、共振する光の波長が最も短い画素の第１電極である保護層は結晶質のインジウムスズ酸化物層であることからエッチングされずに済む。この結果、共振する光の波長が最も短い画素と異なる画素の第１電極をエッチング処理で形成する場合、共振する光の波長が最も短い画素の反射層がエッチング液によって荒らされることなく、エッチング液から反射面を保護することができる。
【００１２】
［適用例３］上記有機ＥＬ装置であって、前記共振する光の波長が最も短い画素と異なる前記画素は、前記反射層と前記第１電極との間に、絶縁性保護層が介在形成されていることを特徴とする。
【００１３】
この構成によれば、共振する光の波長が最も短い画素と異なる画素において、反射層と第２電極との間の距離を、共振する光の波長が最も短い画素に対して長くなるように調節する。従って、共振する光の波長が最も短い画素と異なる画素において、反射層と第２電極との間の距離を、共振すべき光の波長に応じた光路長に近づけるように容易に調整することができる。
【００１４】
［適用例４］上記有機ＥＬ装置であって、前記共振する光の波長が最も短い画素は、前記絶縁性保護層が前記反射層の側面を覆っていることを特徴とする。
【００１５】
この構成によれば、共振する光の波長が最も短い画素の反射層について、反射面については第１電極が保護し、側面つまり端面については絶縁性保護膜が保護する。従って、反射層が、例えば酸化、硫化、凝集、拡散といった現象が生じ易い材料からなる場合、これらの現象の発生を抑制することができる。この結果、反射層の反射機能が損われる虞を軽減することができる。
【００１６】
［適用例５］上記有機ＥＬ装置であって、前記反射層は、銀または銀の合金からなることを特徴とする。
【００１７】
この構成によれば、反射層が銀または銀の合金からなるとともに、反射面は保護層で覆われているため酸化、硫化、凝集、拡散といった現象が抑制される。従って、反射面における反射率が高い反射層を実現することができる。
【００１８】
［適用例６］上記有機ＥＬ装置であって、前記複数の画素において前記共振する光の波長は、赤色、緑色、青色を呈する光の波長のいずれかであることを特徴とする。
【００１９】
この構成によれば、共振する光の波長が最も短い画素では、青色を呈する光の波長が共振し、これと異なる他の画素においては、青色よりも波長の長い緑色と赤色を呈する光の波長が共振する。従って、各画素において反射層と第２電極との間の距離は、それぞれ共振すべき赤色、緑色、青色を呈する光の波長に応じた光路長に調節されるので、各画素からは高い輝度を有するＲ光、Ｇ光、Ｂ光の所謂三原色の光が射出される。この結果、光の取り出し効率が高いカラー画像を表示することができる。
【００２０】
［適用例７］基板上に順に形成された、光を反射する反射層と、当該反射層に積層形成された保護層と、第１電極と、発光層を含む１層以上の有機層と、第２電極とを含む画素を複数備えた有機ＥＬ装置の製造方法であって、前記基板上に、光を反射する反射膜を形成する工程と、前記反射膜上に結晶質のインジウムスズ酸化物からなる第１導電膜を形成する工程と、前記第１導電膜および前記反射膜をドライエッチング処理によって除去して前記画素の領域毎に前記保護層および前記反射層を形成する工程と、前記反射層上に絶縁性保護膜を形成する工程と、前記絶縁性保護膜のうち、前記反射層と前記第２電極との間の反射によって共振する光の波長が最も短い画素に相当する領域に形成された前記絶縁性保護膜を除去することによって、露出した前記第１導電膜を、共振する光の波長が最も短い画素の前記第１電極として形成する工程と、少なくとも前記絶縁性保護膜上および前記露出した第１導電膜上に、非晶質のインジウムスズ酸化物からなる第２導電膜を形成する工程と、形成された前記第２導電膜をエッチング処理し、前記共振する光の波長が最も短い画素と異なる画素の前記第１電極を形成する工程とを備えたことを特徴とする。
【００２１】
結晶質のインジウムスズ酸化物層は、非晶質のインジウムスズ酸化物のエッチング液に対してエッチング耐性を持つ。従って、この方法によれば、共振する光の波長が最も短い画素と異なる画素の第１電極をエッチング処理によって形成する場合、共振する光の波長が最も短い画素の第１電極である保護層は結晶質のインジウムスズ酸化物層であることからエッチングされずに済む。この結果、共振する光の波長が最も短い画素と異なる画素の第１電極をエッチング処理で形成する場合、共振する光の波長が最も短い画素の反射層がエッチング液によって荒らされることなく、エッチング液から反射面を保護することができる。また、最も短い波長の光が共振する画素について保護層が第１電極を兼ねるため、別途保護層を設ける必要がなく、第２電極と反射層との間の距離が長くなることを抑制することができる。従って、共振する光の波長が最も短い画素において、第２電極と反射層との間で生ずる共振を低次の共振（１次共振や２次共振）とする可能性を高くすることができる。この結果、光の取り出し効率を高くすることができるので、高品質の有機ＥＬ装置を提供することができる。また、第２電極と反射層との間の機能層を形成する材料や材料厚さの選択の幅を広げることが可能であり、高品質の有機ＥＬ装置を構成することができる。
【００２２】
［適用例８］上記有機ＥＬ装置の製造方法であって、前記第１電極として形成される前記第２導電膜の膜数が、共振する光の波長が長い画素の前記第１電極ほど多いことを特徴とする。
【００２３】
この方法によれば、導電膜の膜数によって反射層と第２電極との間の距離を調節することができるので、反射層と第２電極との間の距離を、反射層と第２電極との間で共振すべき光の波長に応じた光路長に容易に調整することができる。
【００２４】
［適用例９］上記有機ＥＬ装置の製造方法であって、前記反射層は、銀または銀の合金からなることを特徴とする。
【００２５】
この方法によれば、反射層が銀または銀の合金からなるとともに、反射面は保護層で覆われているため酸化、硫化、凝集、拡散といった現象が抑制される。従って、反射面における反射率が高い反射層を実現することができる。
【００２６】
［適用例１０］上記有機ＥＬ装置の製造方法であって、前記複数の画素において共振する光の波長は、赤色、緑色、青色を呈する光の波長のいずれかであることを特徴とする。
【００２７】
この方法によれば、共振する光の波長が最も短い画素では、青色を呈する光の波長が共振し、これと異なる他の画素においては、青色よりも波長の長い緑色と赤色を呈する光の波長が共振する。従って、各画素において反射層と第２電極との間の距離は、それぞれ共振すべき赤色、緑色、青色を呈する光の波長に応じた光路長に調節されるので、各画素からは高い輝度を有するＲ光、Ｇ光、Ｂ光の所謂三原色の光が射出される。この結果、光の取り出し効率が高いカラー画像を表示することができる。
【００２８】
［適用例１１］上記有機ＥＬ装置を備えた電子機器。
【００２９】
この構成によれば、共振した光を射出する画素が設けられた有機ＥＬ装置を備えた電子機器を提供することができるため、光の取り出し効率が高い画像表示を行う電子機器を提供することが出来る。
【００３０】
［適用例１２］上記有機ＥＬ装置の製造方法によって製造された有機ＥＬ装置を備えた電子機器。
【００３１】
この構成によれば、共振した光を射出する画素が設けられた有機ＥＬ装置を備えた電子機器を提供することができるため、光の取り出し効率が高い画像表示を行う電子機器を提供することが出来る。
【図面の簡単な説明】
【００３２】
【図１】本発明の一実施例となる有機ＥＬ装置の全体レイアウトを、回路構成とともに示した模式図。
【図２】有機ＥＬ装置に形成されたＲ、Ｇ、Ｂの各画素の構成を示す模式図で、（ａ）は平面図、（ｂ）は断面図。
【図３】基板側に形成された各機能層について拡大表示した模式断面図。
【図４】陽極の形成方法についての工程フローチャート。
【図５】（ａ）〜（ｃ）は陽極の形成工程の経過状態を示す模式図。
【図６】（ａ）、（ｂ）は陽極の形成工程の経過状態を示す模式図。
【図７】（ａ）〜（ｃ）は陽極の形成工程の経過状態を示す模式図。
【図８】（ａ）〜（ｃ）は陽極の形成工程の経過状態を示す模式図。
【図９】変形例の有機ＥＬ素子の構造を示す模式図。
【図１０】本発明の一実施例となる有機ＥＬ装置を、電子機器としての一実施例である携帯電話に備えた形態を示した説明図。
【発明を実施するための形態】
【００３３】
以下、本発明を実施例に基づいて説明する。なお、本実施例の説明に際して用いる図面は、説明のために必要に応じて誇張して図示している場合もあり、必ずしも実際の大きさや長さを示すものでないことは言うまでもない。
【００３４】
（有機ＥＬ装置）
図１は、本発明の一実施例となる有機ＥＬ（エレクトロルミネッセンス）装置１００の全体レイアウトを、回路構成とともに示した模式図である。本実施例の有機ＥＬ装置１００は、基板１０上に形成された第１電極としての陽極１３０の領域を凡そ発光領域とする画素（不図示）が形成されている。画素は、陽極１３０の配列に応じて、基板１０上の所定の領域に行方向および列方向に規則正しく配列されている。本実施例では陽極１３０は略矩形形状を有する。なお、陽極１３０の形状は矩形形状以外の形状であってもよい。また陽極１３０の配列、すなわち画素の配列も不規則であってもよいことは勿論である。
【００３５】
有機ＥＬ装置１００は、本実施例では、Ｒ（赤）、Ｇ（緑）、Ｂ（青）の色のうちいずれか１色を呈する波長を有する光を射出可能な画素がそれぞれ複数形成され、画像や文字などの所定のカラー画像を表示するように構成されている。なお、本実施例では、以降の説明を簡単にするために、有機ＥＬ装置１００は、列方向（図面縦方向）に４画素、行方向（図面横方向）に６画素の計２４個の画素が形成されているものとする。もとより、実際には、行列それぞれの方向に数百画素ないし数千画素といった多くの画素が形成されていることは言うまでもない。
【００３６】
また本実施例の有機ＥＬ装置１００は、画素ごとに発光駆動されるアクティブマトリックス型の装置である。すなわち、各画素には、基板１０上に順に、光を反射する反射層（後述する）と、第１電極としての陽極１３０と、発光層を含む１層以上の有機層で構成された有機ＥＬ素子（後述する）と、第２電極としての陰極１７０とが形成されている。また、各画素に対応して、有機ＥＬ素子を発光駆動するための駆動素子が形成されている。駆動素子は、図１に示すように、ＴＦＴ（薄膜トランジスター）１４，１５と保持容量１６とから構成されている。なお、本実施例の有機ＥＬ装置１００はトップエミッション構造を有しているものとする。従って、駆動素子は、後述する図示しない反射層と平面的に重なる位置であって、反射層に対して基板１０側に形成されている。
【００３７】
基板１０の端部には、走査線駆動回路１１とデータ線駆動回路１２、および給電端子１３とが形成されている。走査線駆動回路１１からは走査線Ｇａｔｅが、データ線駆動回路１２からはデータ線Ｓｉｇが、また、給電端子１３からはこれに接続された電源供給線Ｃｏｍが、それぞれ各画素に形成された駆動素子に対して図示したように配線され、有機ＥＬ素子を発光駆動する。
【００３８】
まず、走査線Ｇａｔｅは、ＴＦＴ１４のゲートに接続され、走査線Ｇａｔｅを介して供給される電圧信号または電流信号に応じて、ＴＦＴ１４をオン／オフ制御する。そしてＴＦＴ１４がオンすると、ＴＦＴ１４のソースに接続されたデータ線Ｓｉｇから供給される画像信号に応じた電圧が、電源供給線Ｃｏｍから供給される電源によって保持容量１６に保持される。すると、保持容量１６に保持された電圧は、ＴＦＴ１５のゲートに印加され、ＴＦＴ１５をオン状態にする。ＴＦＴ１５のドレインおよびソースは、それぞれ電源供給線Ｃｏｍおよび陽極１３０に接続され、保持容量１６に保持された電圧に応じた、つまり画像信号に応じた電流が、電源供給線Ｃｏｍを介して陽極１３０に印加される。
【００３９】
有機ＥＬ素子は、各画素（発光領域）に形成される高電位側の陽極１３０と、総ての画素（発光領域）に渡って形成された低電位側の第２電極としての陰極１７０（図中二点鎖線）とに挟まれ、陽極１３０と陰極１７０との間に電流を流すことによって発光する。つまり、陽極１３０に印加された電流が陰極１７０に流れることによって、有機ＥＬ素子は画像信号に応じた明るさで発光する。この結果、陽極１３０と有機ＥＬ素子と陰極１７０とが重なって積層形成された平面領域が電流の流れる発光領域となる。従って、発光領域は、凡そ陽極１３０の領域となるのである。なお、陰極１７０は基板１０の外周端部において接地されている。
【００４０】
次に、有機ＥＬ装置１００における具体的な画素構成について、図２を用いて説明する。図２は、有機ＥＬ装置１００に形成されたＲ、Ｇ、Ｂの各画素についての構成を示す模式図である。本実施例では、行方向にＲ画素、Ｇ画素、Ｂ画素が順に繰返し並んでいるものとする。そして、図２（ａ）は、行方向（図面横方向）に並んだＲ画素、Ｇ画素、Ｂ画素の発光領域を示した平面図であり、図２（ｂ）は、図２（ａ）におけるＡ−Ａ断面を模式的に示した模式断面図である。
【００４１】
図２（ａ）に示したように、各画素は隔壁（図中ハッチング部分）によって区画された画素領域を有し、この画素領域毎に発光領域を有している。発光領域は、図２（ｂ）に示したように、陽極１３０と有機ＥＬ素子１４０と陰極１７０とが重なって積層形成された領域である。従って、発光領域は、前述したように凡そ陽極１３０の領域であり略矩形形状を呈することになる。
【００４２】
有機ＥＬ素子１４０は、陽極１３０側から、例えば正孔注入層、正孔輸送層、発光層、電子輸送層の各機能層（いずれも不図示）が順に積層されたものであり、積層された有機ＥＬ素子１４０の総厚は、Ｒ画素、Ｇ画素、Ｂ画素とも総てほぼ同じ厚さで形成されている。各機能層は、例えば、アミン系有機材料などといった有機材料によって形成されている。また、発光層は、青色発光機能層と黄色発光機能層が積層され、発光領域から白色光を射出するように構成されている。なお、有機ＥＬ素子１４０を構成する各機能層はこれに限らず、正孔注入層と正孔輸送層が同一層であったり、発光層が総ての有機層を兼ねたりするなど、他の構成であってもよい。また、有機ＥＬ素子１４０は、隔壁の上を含んで積層されているが、陽極１３０が露出している領域に積層されていれば、隔壁の上を覆わない構成でもよい。
【００４３】
さて、本実施例の有機ＥＬ装置１００は、図２（ａ）では省略しているが、図２（ｂ）に示したように、基板１０に対向してカラーフィルターが配置されている。カラーフィルターは、ガラス板上に遮光領域ＢＭによって区分されたＲフィルター、Ｇフィルター、Ｂフィルターの各色フィルターが画素の配列に合わせて形成されたものである。各色フィルターは各発光領域と重なるように配置されている。そして、発光領域から射出された白色光を、このＲフィルター、Ｇフィルター、Ｂフィルターによって、それぞれＲ光、Ｇ光、Ｂ光に変換する。従って、有機ＥＬ装置１００は、各発光領域の明るさに応じた色の光がカラーフィルターから射出されることによって、それぞれＲ画素、Ｇ画素、Ｂ画素を形成しカラー画像を表示するように構成されている。
【００４４】
なお、既に周知構造であることから具体的な説明は省略するが、カラーフィルターは、有機ＥＬ素子１４０が形成された基板１０に対して所定の間隔を保ちながら樹脂等を介して封止接着されている。また、各色フィルターや遮光領域ＢＭからのガスの流出を防止する保護膜（不図示）が、必要に応じて基板１０と対向する面側に形成されている。
【００４５】
また、本実施例の有機ＥＬ装置１００は、トップエミッション構造を有していることから、有機ＥＬ素子１４０の発光光が陰極１７０側から射出するように、陽極１３０と基板１０との間には、反射層１１０が形成されている。そして反射層１１０に対して基板１０と反対側には、反射層１１０の反射面を保護するために保護層１２０が積層形成されている。
【００４６】
本実施例の有機ＥＬ装置１００においては、反射層１１０は、平面的に陽極１３０と凡そ重なる領域形状を有し、光の反射率が高い材料である銀または銀の合金（例えば、銀とパラジウムの合金、銀と銅の合金など）を材料として形成されている。すなわち、反射層１１０は、光の反射率が高く、導電性を有する。もとより、光の反射率が高い材料であれば銀または銀の合金以外の材料を用いてもよい。反射層１１０は、有機ＥＬ素子１４０の発光光のうち陽極１３０を透過し基板１０側に射出される光を反射して、陰極１７０側に射出する。
【００４７】
ここで、本実施例では、反射層１１０で反射された光が、陰極１７０で一部反射され、再び反射層１１０で反射を繰り返すように構成されている。つまり、反射層１１０と陰極１７０との間で光の反射が繰り返して行われるように構成されている。この結果、反射層１１０と陰極１７０との間の光路長に応じた波長を有する光が、反射層１１０と陰極１７０との間で共振し、共振した光が陰極１７０から射出されることになる。
【００４８】
従って、反射する光の光路中に存在する陽極１３０は、導電性とともに光透過性を有する材料で形成されている。一方、光を一部反射する陰極１７０は、例えば光が透過する程度に薄く形成された金属材料など、光透過性と光反射性を有する所謂半透過反射性の材料で形成されている。
【００４９】
なお、有機ＥＬ素子１４０を発光駆動するための駆動素子は、前述したように反射層１１０と平面的に重なる位置に形成されている。具体的には、図２（ｂ）に示したように、反射層１１０と基板１０との間に位置し、表面全体が図示しない平坦化膜で平坦化されたデバイス層２０の内部に、駆動素子であるＴＦＴ１４，１５や保持容量１６が形成されている。そして、ＴＦＴ１５のソース電極は、デバイス層２０において形成された図示しないコンタクトホールを介して陽極１３０と結線されている。
【００５０】
次に、本実施例の有機ＥＬ装置１００において、基板１０上に形成された各機能層、特に、Ｒ画素、Ｇ画素、Ｂ画素における反射層１１０、保護層１２０、陽極１３０について、図３を参照して更に詳しく説明する。図３は、図２（ｂ）のうち、基板１０側に形成された各機能層について拡大表示した模式断面図である。
【００５１】
図示するように、Ｒ画素、Ｇ画素、Ｂ画素に形成される陽極１３０は、それぞれ異なる構成を有している。本実施例では、Ｒ画素の陽極１３０は、保護層１２０上に絶縁性保護層１５０を挟んで形成された２層の導電膜で構成され、Ｇ画素の陽極１３０は、保護層１２０上に絶縁性保護層１５０を挟んで形成された１層の導電膜で構成されている。また、Ｂ画素の陽極１３０は、反射層１１０と直接接触して形成され、絶縁性保護層１５０が一部除去されて開口した保護層１２０が陽極１３０を兼ねるように構成されている。
【００５２】
この構成によれば、共振する光の波長が最も短いＢ画素について、反射層１１０と直接接触して形成された保護層１２０が陽極１３０を兼ねるため、陽極１３０または有機ＥＬ素子１４０の厚さや形成材料を変更することによって、陰極１７０と反射層１１０との間の距離ＬＢを、Ｂ光が共振する光路長ＲＬｂに調節することができる。なお、周知のように光路長は距離に屈折率を乗じたものである。
【００５３】
具体的に、Ｂ画素において有機ＥＬ素子１４０で発せられた光のうち取り出したい光つまり共振する光の波長をλｂとすると、式（１）に示した関係が成り立つ。ここで、Φ（ラジアン）は、有機ＥＬ素子１４０で発せられた光が、反射層１１０と陰極１７０の両端で反射する際に生じる位相シフトを表す。
２ＲＬｂ／λｂ＋Φ／（２π）＝ｍ（ｍは整数）…（１）
【００５４】
上述したようにＢ画素においては、陽極１３０と有機ＥＬ素子１４０とで光路長ＲＬｂが決まる。従って、Ｂ画素では、陽極１３０あるいは有機ＥＬ素子１４０を薄く形成することによって距離ＬＢを短くすることができるので、共振する光の波長λｂを、所定の青色の光の波長に対して１次共振（ｍ＝１）もしくは２次共振（ｍ＝２）など低次共振とすることができる可能性がある。この結果、説明は省略するが、共振が低次であることによって光の取り出し効率を高めることができるので、高品質の有機ＥＬ装置１００を提供することができる。
【００５５】
また、反射層１１０と陰極１７０との間の光路長ＲＬｂは、陽極１３０と有機ＥＬ素子１４０のみによって決まる。従って、陽極１３０と有機ＥＬ素子１４０を形成する各有機層の材料や材料厚さの選択の幅を広げることが可能であり、選択する材料に応じて高品質の有機ＥＬ装置１００を構成することができる。また、陽極１３０の厚さおよび材料によって光路長ＲＬｂが調節できる場合は、有機ＥＬ素子１４０の厚さを薄くする必要がないので、有機ＥＬ素子１４０の発光特性（例えば明るさや寿命）の劣化が抑制される。
【００５６】
同様に、Ｒ画素、Ｇ画素については、Ｂ画素において調節した保護層１２０（陽極１３０）と有機ＥＬ素子１４０に加えて、絶縁性保護層１５０と、形成層数の異なる導電膜とによって、陰極１７０と反射層１１０との間の距離ＬＲおよび距離ＬＧを、Ｒ光およびＧ光が共振する光路長にそれぞれ調節することができる。従って、Ｒ画素、Ｇ画素、Ｂ画素のそれぞれにおいて、反射層１１０と陰極１７０との間でＲ光、Ｇ光、Ｂ光のそれぞれの波長が共振するように調節することができるので、光の取り出し効率を高くすることができるのである。この結果、各画素から射出する所謂光の三原色を構成するＲ光、Ｇ光、Ｂ光によって、光の取り出し効率が高いカラー画像を容易に表示することができる。
【００５７】
なお、デバイス層２０には、前述したように駆動素子が形成されている。ここでは一例として、各画素の陽極１３０と接続されるＴＦＴ１５を図示している。もとより、図示および説明は省略するが、デバイス層２０には、ＴＦＴ１４や保持容量１６などの他の駆動素子も形成されている。
【００５８】
ＴＦＴ１５は、基板１０上に形成された半導体層１５ａのドレイン領域に接続されたドレイン電極１５ｄと、半導体層１５ａのソース領域と接続されたソース電極１５ｓと、半導体層１５ａを覆うゲート絶縁膜上に形成されたゲート電極１５ｇとで構成されている。ドレイン電極１５ｄおよびソース電極１５ｓは層間絶縁膜上に形成されている。そして、ドレイン電極１５ｄは、図示しない電源供給線Ｃｏｍと接続され、ソース電極１５ｓは、ソース電極１５ｓ（ドレイン電極１５ｄ）を覆うように形成されたカバー層と、このカバー層およびカバー層上に形成された平坦化膜に設けられたコンタクトホールＣＨ１，ＣＨ２，ＣＨ３を介して、陽極１３０と接続されている。
【００５９】
具体的には、Ｒ画素の陽極１３０は光透過性を有する導電膜で形成され、この導電膜の形成と同時に、Ｒ画素の陽極１３０とＲ画素に対応するＴＦＴ１５のソース電極１５ｓとがコンタクトホールＣＨ１を介して接続される。またＧ画素の陽極１３０は同じく光透過性を有する導電膜で形成され、この導電膜の形成と同時に、Ｇ画素の陽極１３０とＧ画素に対応するＴＦＴ１５のソース電極１５ｓとがコンタクトホールＣＨ２を介して接続される。一方、Ｂ画素の陽極１３０は保護層１２０が兼用するため、Ｂ画素に対応するＴＦＴ１５のソース電極１５ｓは、形成された接続配線によってコンタクトホールＣＨ３を介して陽極１３０つまり保護層１２０と接続される。
【００６０】
さて、本実施例では、銀または銀の合金を材料として形成された反射層１１０において、反射面の劣化を抑制するために、平面的に反射層１１０とほぼ重なるように保護層１２０を直接積層形成して反射面を覆う。そして、Ｂ画素においては、保護層１２０が陽極１３０を兼ねることから、保護層１２０を光透過性を有する導電性の材料で形成する。具体的に、本実施例では、保護層１２０を結晶質のインジウムスズ酸化物（以降、略して「ｐ−ＩＴＯ」とも記す）を材料として形成する。また、Ｒ画素およびＧ画素に形成する陽極１３０は、非晶質のインジウムスズ酸化物（以降、略して「ａ−ＩＴＯ」とも記す）を材料として形成する。
【００６１】
ｐ−ＩＴＯは、ａ−ＩＴＯをエッチングする例えば弱酸性のエッチング液に対して耐性を持つ。従って、このようにＢ画素の陽極１３０つまり保護層１２０をｐ−ＩＴＯで形成し、Ｒ画素およびＧ画素の陽極１３０をａ−ＩＴＯで形成すれば、ｐ−ＩＴＯを材料とする保護層１２０は、ａ−ＩＴＯを材料として形成された導電膜からなる陽極１３０をエッチングするエッチング液に対して耐性を持つことになる。この結果、有機ＥＬ装置の製造方法において、Ｒ画素あるいはＧ画素の陽極１３０の形成に際して行われるａ−ＩＴＯのエッチング処理では、Ｂ画素の陽極１３０であってｐ−ＩＴＯを材料とする保護層１２０は、エッチングされずに済むことになるのである。
【００６２】
（有機ＥＬ装置の製造方法）
それでは、上述する効果を奏する保護層１２０および陽極１３０が形成された有機ＥＬ装置１００の製造方法のうち、特に本実施例の特徴となる陽極１３０の形成処理について、図５から図８を参照しつつ、図４に示した工程フローチャートにしたがって説明する。なお、図５から図８は、図４における工程の状態を適宜示す模式図である。
【００６３】
図４に示すように、まず、ステップＳ１０１にて反射膜の形成処理を行う。具体的には、図５（ａ）に示すように、デバイス層２０に形成され、ＴＦＴ１５と電気的な接続を行うためのコンタクトホールＣＨ１，ＣＨ２，ＣＨ３が形成された平坦化膜上に、銀または銀の合金を材料とする膜をスパッタリング法や真空蒸着法、ＣＶＤ法などによって堆積形成する。
【００６４】
次に、ステップＳ１０２にて保護膜の形成処理を行う。本実施例では、図５（ｂ）に示すように、ｐ−ＩＴＯ導電膜を保護膜として形成する。具体的には、まず、形成された反射膜上に、スパッタリング法や真空蒸着法、ＣＶＤ法などによってインジウムスズ酸化物（ＩＴＯ）を堆積形成する。このとき、反射膜上に堆積形成されたＩＴＯは、通常非晶質（アモルファス）の状態、つまりａ−ＩＴＯの状態である。そこで、本実施例では、堆積形成したＩＴＯを加熱処理（例えば１８０℃以上の高温で加熱時間１時間など）してａ−ＩＴＯを結晶質（ポリ）化し、ｐ−ＩＴＯの保護膜を形成する。
【００６５】
次に、ステップＳ１０３にてレジストの形成処理を行う。具体的には、例えばレジスト材料を、形成された保護膜上に、スピンコート法や印刷法などによって塗布形成する。次に、塗布されたレジストを、最終的に各画素の反射層の平面形状に相当する所定の形状部分以外を露光し、露光した部分を現像除去する。現像後のレジストの形成状態を図５（ｃ）に示した。図示するように、Ｒ画素、Ｇ画素、Ｂ画素に対応する位置に所定のパターン形状を有する島状のレジストが形成される。
【００６６】
次に、ステップＳ１０４にて保護層および反射層の形成処理を行う。具体的には、図５（ｃ）に示した島状に形成されたレジストをマスクとして、エッチングガス（例えばフッ素系のエッチングガスや、イオンやラジカル）を曝して、保護膜と反射膜を同時にドライエッチングする。この結果、図６（ａ）に示したように、Ｒ画素、Ｇ画素、Ｂ画素に対応するそれぞれの位置に、所定のパターン形状を有し平面的に互いにほぼ重なるように保護層１２０と反射層１１０とが形成される。
【００６７】
次に、ステップＳ１０５にて絶縁性保護膜の形成処理を行う。本実施例では、図６（ｂ）に示すように、Ｒ画素、Ｇ画素、Ｂ画素に対応する保護層１２０と反射層１１０を総て覆うように、窒化シリコン（または酸化シリコン）を材料とする絶縁膜をスパッタリング法や真空蒸着法、ＣＶＤ法などによって堆積形成する。
【００６８】
次に、ステップＳ１０６にてＢ画素領域とコンタクトホールの絶縁性保護膜の除去処理を行う。具体的には、所定のマスクを用い、Ｂ画素に設けられる陽極１３０の領域に相当する部分に堆積形成された絶縁性保護膜と、コンタクトホールＣＨ１，ＣＨ２，ＣＨ３に対応する領域部分に堆積形成された絶縁性保護膜とを、エッチング処理を行い除去する。もとより、用いるエッチング液は、保護層１２０の材料であるｐ−ＩＴＯに対して耐性を有するエッチング液（例えばリン酸を含有する液）である。絶縁性保護膜が一部除去されて形成された絶縁性保護層１５０を図７（ａ）に示した。図示するように、Ｂ画素について、保護層１２０の領域のうち、陽極１３０に対応する領域が露出領域として形成される。
【００６９】
なお、絶縁性保護層１５０は、Ｒ画素やＧ画素の陽極１３０の形成や有機ＥＬ素子１４０の形成など、以降の有機ＥＬ装置１００の製造工程における各処理において反射層１１０を保護する機能を有する。特に、共振する光の波長が最も短いＢ画素は、平面部分である反射面は保護層１２０で覆われるものの側面（端面）は保護層１２０では覆われない。従って、絶縁性保護層１５０が反射層１１０の側面（端面）を覆うようにするので、反射層１１０が、例えば本実施形態のように銀または銀の合金からなる場合、酸化、硫化、凝集、拡散といった現象の発生を抑制することができる。この結果、反射層の反射機能が損われる虞を軽減することができる。
【００７０】
さらに、本実施例では、絶縁性保護層１５０は、Ｒ画素およびＧ画素について、反射層１１０と陰極１７０との間の距離が長くなるように調節する機能を有する。従って、絶縁性保護層１５０を形成することによって、反射層１１０と陰極１７０との間の距離を、共振すべき波長の光路長と同じもしくは近い距離になるように容易に調整することができる。
【００７１】
また、Ｂ画素において除去される絶縁性保護膜は、図７（ａ）に示すように、後述する導電膜のエッチング処理（例えばステップＳ１０８）において反射層がエッチングされないように、反射層を覆うように形成される。このため、Ｂ画素において露出する保護層１２０の領域面積が小さくなってしまう。そこで、本実施例では、Ｂ画素の保護層１２０（反射層１１０）の平面領域を予め補正して大きくしておくことが好ましい。
【００７２】
次に、ステップＳ１０７にて導電膜の形成処理を行う。具体的には、図７（ｂ）に示すように、インジウムスズ酸化物を材料とする膜を、少なくとも形成された絶縁性保護層１５０上に、スパッタリング法や真空蒸着法、ＣＶＤ法などによって堆積形成し、ａ−ＩＴＯを材料とする導電膜を形成する。なお、インジウムスズ酸化物（ＩＴＯ）は、反射膜上に堆積形成された状態では、前述するように通常非晶質（アモルファス）の状態（ａ−ＩＴＯ）である。
【００７３】
次に、ステップＳ１０８にてＲ画素領域以外の導電膜の除去処理を行う。具体的には、所定のマスクを用いて、保護層１２０の形成材料であるｐ−ＩＴＯに対して耐性を有するエッチング液（例えば有機酸を含有する液）を用い、Ｒ画素に設けられる陽極１３０に相当する領域部分が残るように、堆積形成された導電膜をエッチング処理して除去する。この除去処理によって形成されたＲ画素の陽極１３０を図７（ｃ）に示した。なお、陽極１３０に相当する領域部分には、Ｒ画素に対応するＴＦＴ１５のソース電極１５ｓと重なる領域に形成されたコンタクトホールＣＨ１が内包され、図示するように、Ｒ画素について、陽極１３０とＴＦＴ１５のソース電極１５ｓが電気的に接続される。
【００７４】
次に、ステップＳ１０９にて再び導電膜の形成処理を行う。具体的には、図８（ａ）に示すように、インジウムスズ酸化物を材料とする膜を、少なくとも、Ｒ画素の陽極１３０と、Ｇ画素に設けられる陽極１３０に相当する絶縁性保護層１５０上の領域部分、およびＢ画素の接続配線となる領域部分を覆うように、スパッタリング法や真空蒸着法、ＣＶＤ法などによって堆積形成する。この結果、ａ−ＩＴＯの導電膜が再び形成される。なお、本実施例では、Ｇ画素に設けられる陽極１３０に相当する領域部分は、Ｇ画素においてＴＦＴ１５と電気的な接続を行うコンタクトホールＣＨ２を含む領域である。また、Ｂ画素の接続配線に相当する領域部分は、Ｂ画素においてＴＦＴ１５と電気的な接続を行うコンタクトホールＣＨ３を含む領域である。
【００７５】
次に、ステップＳ１１０にてＲ画素領域とＧ画素領域、およびＢ画素の接続配線領域以外の導電膜の除去処理を行う。具体的には、所定のマスクを用いて、保護層１２０の形成材料であるｐ−ＩＴＯに対して耐性を有するエッチング液（例えば有機酸を含有する液）を用い、Ｒ画素に設けられる陽極１３０に相当する領域部分とＧ画素に設けられる陽極１３０に相当する領域部分、およびＢ画素の接続配線領域部分が残るように、堆積形成された導電膜をエッチング処理して除去する。
【００７６】
この除去処理によって形成されたＲ画素の陽極１３０とＧ画素の陽極１３０、およびＢ画素の接続配線を、図８（ｂ）に示した。図示するように、陽極１３０として機能する導電膜は、Ｒ画素については２層形成され、Ｇ画素については１層形成される。なお、Ｇ画素の陽極１３０に相当する領域部分には、Ｇ画素に対応するＴＦＴ１５のソース電極１５ｓと重なる領域に形成されたコンタクトホールＣＨ２が内包され、図示するように、Ｇ画素について、陽極１３０とＴＦＴ１５のソース電極１５ｓが電気的に接続される。また、Ｂ画素の陽極１３０に相当する保護層１２０は、コンタクトホールＣＨ３を内包した接続配線によって、図示するように、Ｂ画素に対応するＴＦＴ１５のソース電極１５ｓと電気的に接続される。
【００７７】
その後、図８（ｃ）に示すように、形成された陽極１３０上に、隔壁、有機ＥＬ素子１４０、陰極１７０が順に形成され、基板１０上に、有機ＥＬ装置１００を構成する各機能層が形成される。なお、各機能層の形成については、既に周知な製造方法を用いることができる。従って、ここではこれらの製造方法の説明を省略する。
【００７８】
このように本実施例では、共振する光の波長が最も短いＢ画素の陽極１３０の材料であるｐ−ＩＴＯが、Ｒ画素およびＧ画素の陽極１３０の材料であるａ−ＩＴＯのエッチング液に対して耐性を持つ。従って、Ｒ画素およびＧ画素の陽極１３０の形成に際して行なわれるａ―ＩＴＯのエッチング処理において、Ｂ画素の陽極１３０（保護層１２０）がエッチングされずに済む。この結果、Ｂ画素の反射層１１０がエッチング液によって荒らされることなく、エッチング液から反射面を保護することができる。また、Ｂ画素について保護層１２０が陽極１３０を兼ねるため、陽極１３０と反射層１１０との間の距離を、Ｒ画素およびＧ画素に比べて短くすることができる。従って、最も短い波長の光を射出するＢ画素において、射出する波長の光（Ｂ光）を共振させる確率を高くすることができるので、光の取り出し効率を高くすることができる。
【００７９】
また本実施例では、ａ−ＩＴＯを材料として形成され、陽極１３０を形成する導電膜の膜数が、共振する光の波長がＧ画素よりも長いＲ画素の方が、Ｇ画素に対して多く形成される。従って、導電膜の層数によって反射層１１０と陰極１７０との間の距離を共振すべき光の波長に応じた長さに調節することができるので、反射層１１０と陰極１７０との間の距離を、共振すべき光（Ｒ光、Ｇ光）の波長に適した光路長に容易に調節することができる。
【００８０】
以上、本発明について実施例を用いて説明したが、本発明はこうした実施例に何ら限定されるものではなく、本発明の趣旨を逸脱しない範囲内において様々な形態で実施し得ることは勿論である。以下変形例を挙げて説明する。
【００８１】
（変形例）
上記実施例は、有機ＥＬ素子１４０は発光光が白色光であり、カラーフィルターにてＲ、Ｇ、Ｂの各色を呈する光に変換して射出する有機ＥＬ装置１００について実施するものとして説明したが、これに限るものでないことは勿論である。例えば、有機ＥＬ素子１４０が、それぞれＲ、Ｇ、Ｂの異なる色を発光する有機ＥＬ装置１００であっても実施することが可能である。また、このように有機ＥＬ素子１４０が、それぞれＲ、Ｇ、Ｂの異なる色を発光するように構成された場合は、有機ＥＬ装置１００はカラーフィルターを備えないこととしても差し支えない。
【００８２】
本変形例について図９を用いて説明する。図９は、本変形例の有機ＥＬ素子１４０の構造を示す模式図である。図示するように、基板１０上に形成された陽極１３０の周囲には導電性を有しない有機材料からなる隔壁が形成され、この隔壁によって囲まれたそれぞれの領域に、発光色が異なるＲ発光層、Ｇ発光層、Ｂ発光層を含む有機ＥＬ素子１４０が形成されている。そして、隔壁を含めて各有機ＥＬ素子１４０全体を覆うように陰極１７０が形成されている。従って、各有機ＥＬ素子１４０は陽極１３０と陰極１７０との間に所定の電流を流すことによって、それぞれの有機ＥＬ素子１４０に含まれる発光層に応じて、Ｒ光、Ｇ光、Ｂ光を発光し、それぞれＲ画素、Ｇ画素、Ｂ画素となる。
【００８３】
本変形例では、発光層は、Ｒ、Ｇ、Ｂの各色を示す蛍光材料を溶質とする機能液など、有機ＥＬ素子１４０を構成する機能層を形成するための機能液を、隔壁で囲まれた領域に噴射し、真空乾燥などの熱処理を行って、所定の厚さの膜を形成したものである。
【００８４】
本変形例においても、各画素の陽極１３０は上記実施例と同様な製造方法で形成されている。すなわち、図９に示すように、Ｒ画素については２層の導電膜からなる陽極１３０が、Ｇ画素については１層の導電膜からなる陽極１３０が形成されている。そして、Ｂ画素の陽極１３０は、保護層１２０が兼用するように形成されている。
【００８５】
本変形例によれば、有機ＥＬ素子１４０は、画素に応じてそれぞれ異なる色を発光するように構成されているので、各画素の発光輝度あるいは色純度を更に高めるとともに、銀または銀の合金を材料とする反射層によって高い反射率を維持することが可能である。
【００８６】
（その他の変形例）
上記実施例では、保護層１２０を結晶質のインジウムスズ酸化物で、また陽極１３０を非晶質のインジウムスズ酸化物で、それぞれ形成したが、必ずしもこれに限るものでないことは勿論である。上記実施例における説明から明らかなように、保護層１２０を形成する材料が、陽極１３０を形成する材料のエッチング処理において、エッチング液に対して耐性を有する組み合わせであればよい。
【００８７】
また、上記実施例では、画素がＲ光、Ｇ光、Ｂ光をそれぞれ射出することとしたが、これに限らず、他の色（例えばシアン色、マゼンタ色など）の光を射出することとしてもよい。表示するカラー画像に応じて、好ましい色を射出することとすればよい。
【００８８】
また、上記実施例では、Ｂ画素に対応する保護層１２０とＢ画素用ＴＦＴ１５のソース電極１５ｓとを、コンタクトホールＣＨ３を介して接続配線によって接続することしたが、必ずしもこれに限るものでないことは勿論である。例えば、Ｂ画素用ＴＦＴ１５と保護層１２０との接続を、反射層１１０（保護層１２０）の領域内にコンタクトホールＣＨ３を形成し、このコンタクトホールＣＨ３を介して、反射層１１０をソース電極１５ｓと直に接続することで行うこととしてもよい。この場合、反射層１１０の一部がコンタクトホールＣＨ３によって平坦にならず反射面として好ましくない場合は、コンタクトホールＣＨ３の位置を、平面視で発光領域から除外するように配置することが好ましい。
【００８９】
（電子機器）
また、本発明を実施する形態として、上記実施例および変形例の有機ＥＬ装置１００を備えた電子機器としてもよい。電子機器としては、例えば、有機ＥＬ装置１００を備えた携帯電話としてもよい。
【００９０】
図１０は、上記実施例および変形例の有機ＥＬ装置１００を備えた携帯電話１を示した説明図である。上記実施例および変形例の有機ＥＬ装置１００は、自発光素子である有機ＥＬ素子を表示素子として備えたものであり、バックライトが不要で薄型化が可能であることから、画像や文字を表示する薄型の電子機器である携帯電話１には好適な表示装置である。そして、本実施例および変形例の有機ＥＬ装置１００は画像を表示する色の光を共振させるので、有機ＥＬ装置１００を備えた携帯電話１は、光の取り出し効率が高い画素によって画像表示を行うことが出来る。従って、上記実施例および変形例の有機ＥＬ装置１００を備えた携帯電話１は、低消費電力で輝度の高い画像表示を行うことができるので、例えば電池を電源とする場合に電池寿命が短くなることを抑制できる効果を奏する。
【００９１】
なお、上記実施例および変形例の有機ＥＬ装置１００を備えた電子機器は、携帯電話１に限るものでないことは勿論である。例えば、プロジェクター、デジタルカメラ、デジタルビデオカメラ、テレビジョン、モバイルコンピューター、オーディオ機器などの電子機器であってもよい。
【符号の説明】
【００９２】
１…携帯電話、１０…基板、１１…走査線駆動回路、１２…データ線駆動回路、１３…給電端子、１４，１５…ＴＦＴ、１５ａ…半導体層、１５ｄ…ドレイン電極、１５ｇ…ゲート電極、１５ｓ…ソース電極、１６…保持容量、２０…デバイス層、１００…有機ＥＬ装置、１１０…反射層、１２０…保護層、１３０…陽極、１４０…有機ＥＬ素子、１５０…絶縁性保護層、１７０…陰極。
【図１】
2010272447.tif 000003
【図２】
2010272447.tif 000004
【図３】
2010272447.tif 000005
【図４】
2010272447.tif 000006
【図５】
2010272447.tif 000007
【図６】
2010272447.tif 000008
【図７】
2010272447.tif 000009
【図８】
2010272447.tif 000010
【図９】
2010272447.tif 000011
【図１０】
2010272447.tif 000012